(57)【要約】【課題】ブリスター成形体の深絞り部の強度が弱くならないようにすることを目的とする。【解決手段】ポリ乳酸系シートを熱成形法である圧空成形により形成した深絞り部８を有するブリスター成形体において、この深絞り部８に段差９を設けるようにしたものである。【選択図】　　　　図１
2004058519.tif 000002
【特許請求の範囲】
【請求項１】
ポリ乳酸系シートを熱成形法である圧空成形により形成した深絞り部を有するブリスター成形体において、
前記深絞り部に段差を設けるようにしたことを特徴とするブリスター成形体。
【発明の詳細な説明】
【０００１】
【発明の属する技術分野】
本発明は例えば包装用ケースに適用して好適な耐衝撃性、透明性に優れかつ自然環境下で分解するポリ乳酸系シートを熱成形体である圧空成形により形成した深絞り部を有するブリスター成形体に関する。
【０００２】
【従来の技術】
各種商品の展示包装用ケースを台紙と共に構成するブリスター成形体は樹脂シートを得た後、当該樹脂シートを熱成形法である真空成形、圧空成形等により成形して作られるのが一般的である。
【０００３】
ブリスター成形体は包装用ケースを通して中の商品を透視できる透明性に優れているものが好まれる。そこで従来は、このブリスター成形体の素材シートとしては、ポリ塩化ビニール系、ポリエチレンテレフタレート系、ポリスチレン系等の樹脂シートが使用されている。
【０００４】
然しながら上述した樹脂シートは化学的、生物的に安定なため自然環境下に放置されても、ほとんど分解されることなく残留、蓄積される。これは自然環境中に散乱して動植物の生活環境を汚染するだけでなく、ゴミとして埋められた場合にもほとんど分解せずに残る問題がある。
【０００５】
そこで、これらの問題を生じない分解性重合体からなる材料が要求されており、多くの研究、開発が行われている。その一つにポリ乳酸がある。
【０００６】
【発明が解決しようとする課題】
このポリ乳酸系シートを使用し、熱成形法である圧空成形により、図９に示す如く商品例えばポータブルラジオ１を覆う如き商品収納部を有するブリスター成形体２を形成し、このポリ乳酸系シートを使用したブリスター成形体２と台紙３とより商品１をサンドイッチする如く展示包装用ケースを形成したときには、このブリスター成形体２は透明性には優れているが、しかしこのポリ乳酸系シートを圧空成形したブリスター成形体２の深絞り部５はこの圧空成形時にポリ乳酸系シートの厚さが均一に伸びず、この深絞り部５の底部５ａが薄くなり、この部分の強度が弱くなる不都合があった。
【０００７】
本発明は、斯る点に鑑み、このブリスター成形体の深絞り部の強度が弱くならないようにすることを目的とする。
【０００８】
【課題を解決するための手段】
本発明ブリスター成形体はポリ乳酸系シートを熱成形法である圧空成形により形成した深絞り部を有するブリスター成形体において、この深絞り部に段差を設けるようにしたものである。
【０００９】
斯る本発明によれば、この深絞り部に段差を設けるようにしたので、圧空成形時に、この深絞り部の金型に段差があり、この深絞り部はポリ乳酸系シートが２段階に引っ張られ、この深絞り部においてもポリ乳酸系シートが特に薄くなることがなく略均一の厚さとなりこの深絞り部の強度が弱くなることがない。
【００１０】
【発明の実施の形態】
以下、図面を参照して本発明ブリスター成形体の実施の形態の例を包装用ケースに適用した例につき説明する。
【００１１】
図１及び図２は本例によるブリスター成形体６を適用した包装用ケースに商品例えばポータブルラジオ１を収納した状態を示す正面側及び背面側の斜視図を示す。本例の包装用ケースは図１、図２に示すように商品例えばポータブルラジオ１をポリ乳酸系シートを使用したこの商品１を覆う如き形状のブリスター成形体６と所定厚のボール紙より成る台紙３とによりサンドイッチ状態で、このブリスター成形体６を台紙３に固定することより、この商品例えばポータブルラジオ１を収納するものである。
【００１２】
このポリ乳酸系シートを使用したブリスター成形体６は透明であるため商品例えばポータブルラジオ１をこの包装用ケースの外側から良く見ることができ、消費者が商品例えばポータブルラジオ１の内容を良く理解できるようになっている。
【００１３】
また商品の販売時は、この包装用ケースに設けられた引掛用孔４を展示用フックに掛け、消費者の目に付きやすくする。
【００１４】
本例のブリスター成形体６を形成するのに使用されるポリ乳酸系シートの材料のポリ乳酸系重合体とは、ポリ乳酸又は乳酸と他のヒドロキシカルボン酸との共重合体、もしくはこれらの混合物であり、本発明の効果を阻害しない範囲で他の高分子材料が混入されても構わない。また、成形加工性、シートや成形体の物性を調整する目的で可塑剤、滑剤、無機フィラー、紫外線吸収剤等の添加剤、改質剤を添加することも可能である。
【００１５】
乳酸としてはＬ−乳酸、Ｄ−乳酸が挙げられ、他のヒドロキシカルボン酸としては、グリコール酸、３−ヒドロキシ酪酸、４−ヒドロキシ酪酸、３−ヒドロキシ吉草酸、４−ヒドロキシ吉草酸、６−ヒドロキシカプロン酸等が代表的に挙げられる。
【００１６】
これらの重合法としては、縮合重合法、開環重合法等であり、更には分子量増大を目的として少量の鎖延長剤、例えばジイソシアネート化合物、エポキシ化合物、酸無水物等を使用しても構わない。
【００１７】
ポリ乳酸系重合体の重量平均分子量としては、５０，０００〜１，０００，０００の範囲が好ましく、斯る範囲を下まわると実用物性がほとんど発現されず、また熱成形時にシートが強度を保持できない等の問題を生じる。また上まわる場合には、溶融粘度が高くなりすぎ成形加工性に劣る。
【００１８】
本例に使用されるポリ乳酸系シートは、上述した重合体を十分に乾燥して、水分を除去した後、押出法、カレンダー法、プレス法等の一般的な溶融成形法よりシート状に成形し、次いで、急冷することにより得られる。
【００１９】
本例による、例えば０．３５ｍｍ厚のこのポリ乳酸系シートより熱成形法である圧空成形により形成されるブリスター成形体６は、図３〜図８に示す如く構成する。図３はこのブリスター成形体６の裏側から見た上面図、図４は図３の上又は下側面、図５は図３のＶ−Ｖ線断面図、図６は図３の右側面図、図７は図３のＶＩＩ　−ＶＩＩ　線断面図である。
【００２０】
この図３〜図７において、１０は商品、例えばポータブルラジオ１を覆う如く形成された商品収納部を示し、この商品収納部１０の上側及び下側に互に対称に、この商品収納部１０より所定間隔離れた位置に夫々ミシン目線１１ａ及び１１ｂを介して比較的長い例えば１００ｍｍ異常の長さのフック１２及び１３を形成する。
【００２１】
このフック１２，１３の一端及び他端に夫々差し込み部１２ａ，１３ａ及び１２ｂ，１３ｂを設けるとともに本例においては、この比較的長いフック１２及び１３の長手方向の中央位置に、この長手方向に直交する方向の例えば長方形の爪１４及び１５を設ける。
【００２２】
この場合、この爪１４及び１５を夫々この比較的長いフック１２及び１３の外形より出ないように形成するを可とする。斯くすることにより板取り形状が良く、この比較的長いフック１２及び１３の材料コストの変化が無い如くできる。
【００２３】
またこの比較的長いフック１２及び１３の長手方向に沿って補強用の細長凸形状部１６ａ及び１６ｂを夫々設ける如くする。
【００２４】
この商品収納部１０の左側及び右側のこの商品収納部１０より夫々所定間隔離れた位置に夫々ミシン目線１７ａ及び１７ｂを介して比較的短い例えば１００ｍｍ以下の長さのフック１８及び１９を形成するとともにこのフック１８，１９の一端及び他端に夫々差し込み部１８ａ，１９ａ及び１８ｂ，１９ｂを設ける。
【００２５】
本例においては、この図３に示す如きこのブリスター成形体６の商品収納部１０の右側に一部が商品等に当接する深絞り部８を設ける。本例においてはこの深絞り部８に例えば数ｍｍの段差（底上げ）９を設ける如くする。このブリスター成形体６の深絞り部８の段差（底上げ）９に圧空成形の金型に段差を設け、この圧空成形時に形成する如くする。
【００２６】
この商品収納部１０の左側の所定位置及びフック１８に夫々引掛孔４を形成する孔４ａ及び４ｂを夫々形成する。
【００２７】
このブリスター成形体６の商品収納部１０に収納した商品例えばポータブルラジオ１を、このブリスター成形体６とサンドイッチすると共にこのブリスター成形体６を固定する台紙３として図８に示す如く構成する。
【００２８】
この台紙３としては、商品１を配するに適当な大きさの長方形状のボール紙の一方台紙３ａ及び他方台紙３ｂをミシン目線２０を介して連続的に配し、このミシン目線２０より２つ折りにして形成したものである。
【００２９】
この２枚折りの台紙３の他方の台紙３ｂ側とブリスター成形体６とで商品１をサンドイッチし、このブリスター成形体６の比較的長いフック１２を２枚折りの台紙３の一方の台紙３ａ側にミシン目線１１ａにて折り曲げたときに、この一方の台紙３ａのこの比較的長いフック１２の一方及び他の差し込み部１２ａ及び１２ｂが対応する位置に夫々切り込みを入れたスリット２１ａ及び２１ｂを形成すると共にこの比較的長いフック１２の長手方向の中央部に形成した爪１４に対応する位置にこのフック１２の長手方向に切り込みを入れたスリット２２を形成する。
【００３０】
また、この２枚折りの台紙３の他方の台紙３ｂ側とブリスター成形体６とで商品１をサンドイッチし、このブリスター成形体６の比較的長いフック１３を２枚折り台紙３の一方の台紙３ａ側にミシン目線１１ｂにて折り曲げたときにこの一方の台紙３ａのこの比較的長いフック１３の一方及び他方の差し込み部１３ａ及び１３ｂが対応する位置に夫々切り込みを入れたスリット２３ａ及び２３ｂを形成すると共にこの比較的長いフック１３の長手方向の中央部に形成した爪１５に対応する位置にこのフック１３の長手方向に切り込みを入れたスリット２４を形成する。
【００３１】
また、同様にして、このブリスター成形体６のフック１８を２枚折りの台紙３の一方の台紙３ａ側にミシン目線１７ａにて折り曲げたときに、この一方の台紙３ａのこのフック１８の一方及び他方の差し込み部１８ａ及び１８ｂが対応する位置に夫々切り込みを入れたスリット２５ａ及び２５ｂを形成する。
【００３２】
また、同様にして、このブリスター成形体６のフック１９を２枚折りの台紙３の一方の台紙３ａ側にミシン目１７ｂにて折り曲げたときに、この一方の台紙３ａのこのフック１９の一方及び他方の差し込み部１９ａ及び１９ｂが対応する位置に夫々切り込みを入れたスリット２６ａ及び２６ｂを形成する。
【００３３】
この一方及び他方の台紙３ａ及び３ｂの夫々の上側の所定位置に夫々引掛孔４を形成する孔４ｃ及び４ｄを夫々形成する。
【００３４】
本例は上述の如く構成されているので商品例えばポータブルラジオ１の梱包時、一方及び他方の台紙３ａ及び３ｂをミシン目線２０にて２つ折りとし、この２つ折りの台紙３の他方の台紙３ｂとブリスター成形体６の商品収納部１０とで商品例えばポータブルラジオ１をサンドイッチし、このブリスター成形体６の比較的長いフック１２及び１３をミシン目線１１ａ及び１１ｂにて折り曲げると共にこの比較的長いフック１２，１３の一端及び他端の差し込み部１２ａ，１３ａ及び１２ｂ，１３ｂを一方の台紙３ａの夫々の夫々スリット２１ａ，２３ａ及び２１ｂ，２３ｂに差し込む如くする。
【００３５】
このときブリスター成形体６のフック１８及び１９をミシン目線１７ａ及び１７ｂにて折り曲げると共にこのフック１８，１９の夫々の一端及び他端の差し込み部１８ａ，１９ａ及び１８ｂ，１９ｂを一方の台紙３ａのスリット２５ａ，２６ａ及び２５ｂ，２６ｂに差し込む如くする。
【００３６】
本例においては、更に比較的長いフック１２及び１３の夫々の長手方向の中央部に設けた爪１４及び１５を一方の台紙３ａに形成したスリット２２及び２４に差し込む如くする。
【００３７】
本例は、上述の如くブリスター成形体６の比較的長いフック１２，１３にこの比較的長いフック１２，１３の長手方向に直交する方向の爪１４，１５を設け、この爪１４，１５を一方の台紙３ａに形成したスリット２２，２４に差し込むようにしたので、この比較的長いフック１２，１３の中央部の浮きによる変形を防止することができる。
【００３８】
また本例によるブリスター成形体６によれば、このブリスター成形体６の深絞り部８に段差（底上げ）９を設けるようにしたので、圧空成形時に、この深絞り部の金型に段差（底上げ）があり、この深絞り部８はポリ乳酸系シートが２段階に引っ張られ、この深絞り部８においても、このポリ乳酸系シートが特に薄くなることがなく略均一の厚さとなり、この深絞り部８の強度が弱くなることはない。
【００３９】
従って本例によるブリスター成形体６を包装用ケースに適用したときには落下等の衝撃に耐えることができる。
【００４０】
尚、本発明は上述例に限ることなく本発明の要旨を逸脱することなく、その他種々の構成が取り得ることは勿論である。
【００４１】
【発明の効果】
本発明によれば、このブリスター成形体の深絞り部に段差（底上げ）を設けるようにしたので、圧空成形時に、この深絞り部の金型に段差（底上げ）があり、この深絞り部はポリ乳酸系シートが２段階に引っ張られ、この深絞り部においても、このポリ乳酸系シートが特に薄くなることがなく略均一の厚さとなり、この深絞り部の強度が弱くなることはない。
【図面の簡単な説明】
【図１】本発明ブリスター成形体の実施の形態の例を使用した包装用ケースの例を示す正面斜視図である。
【図２】図１例の背面側斜視図である。
【図３】本発明ブリスター成形体の実施の形態の例の裏側から見た上面図である。
【図４】図３の下側側面図である。
【図５】図３のＶ−Ｖ線断面図である。
【図６】図３の右側側面図である。
【図７】図３の　ＶＩＩ−ＶＩＩ　線断面図である。
【図８】台紙の例を示す平面図である。
【図９】従来のブリスター成形体を使用した包装用ケースの例を示す正面斜視図である。
【符号の説明】
１‥‥商品、３‥‥台紙、４‥‥引掛用孔、６‥‥ブリスター成形体、８‥‥深絞り部、９‥‥段差（底上げ）、１０‥‥商品収納部
【図１】
2004058519.tif 000003
【図２】
2004058519.tif 000004
【図３】
2004058519.tif 000005
【図４】
2004058519.tif 000006
【図５】
2004058519.tif 000007
【図６】
2004058519.tif 000008
【図７】
2004058519.tif 000009
【図８】
2004058519.tif 000010
【図９】
2004058519.tif 000011